(57)【要約】【課題】  揺動する操作子の傾きを制しつつ、操作性の改善ができるようにする。【解決手段】  操作子２７を揺動可能に軸支するスイッチボデー（支持部材）１１の軸支部３２の近傍周囲部、又は操作子２７の軸支部３２と対応する部分の近傍周囲部に、それらが操作子２７の揺動に伴い相手側と摺接する摺接部３８を設けた。これにより、支持部材の軸支部３２の近傍又は操作子２７の軸支部３２と対応する部分の近傍で、操作子２７の傾きを制することができる。よって、摺接の抵抗度が小さく、操作感を軽くすることができる。【選択図】  図１
2006032059.tif 000002
【特許請求の範囲】
【請求項１】
軸支部を有する支持部材と、
この支持部材に前記軸支部により揺動可能に軸支された操作子と、
この操作子の揺動に応じて接離される接点とを具備するものにおいて、
前記支持部材の軸支部の近傍周囲部、又は前記操作子の前記軸支部と対応する部分の近傍周囲部に、前記操作子の揺動に伴い相手側と摺接する摺接部を設けたことを特徴とするスイッチ装置。
【請求項２】
支持部材の軸支部の端面部、又は操作子の軸支部と対応する部分の端面部にも、操作子の揺動に伴い相手側と摺接する摺接部を設けたことを特徴とする請求項１記載のスイッチ装置。
【発明の詳細な説明】
【技術分野】
【０００１】
本発明は、操作子が揺動する構成のスイッチ装置に関する。
【背景技術】
【０００２】
従来より、例えば車両用、特には自動車用のスイッチ装置においては、操作子が揺動する構成のものが数多く供されている。このものの場合、操作子は、スイッチボデーなど支持部材が有する軸支部によって揺動可能に軸支され、この操作子の揺動に接点が応じて接離するようになっている。
【０００３】
しかして、上記支持部材が有する軸支部は、例えば円筒形の軸受孔であり、それに、操作子に形成された円柱状の軸部が嵌合され、かくして、操作子が揺動可能に軸支されている。ここで、上記軸受孔と軸部との間には、操作子を揺動させるための隙間が必要であり、大きくはないが、それが確保されている。しかし、必要とはいえど、その隙間のために、操作子が傾くことが考えられる。
【０００４】
これに対して、従来は、上記軸支部から離間した位置において、操作子と支持部材とに摺接部が設けられ、それらが操作子の揺動に伴い摺接することによって、操作子の傾きを制するようにしている。
【０００５】
図５は、そのものの構造を概略的に示しており、図中Ｏが操作子１の軸支中心ラインで、要するに軸支部の位置するラインであり、これから離間した操作子１の両自由端部の裏側に操作子側の摺接部２が設けられ、これに対応して支持部材側の摺接部３が設けられている。支持部材側の摺接部３は、操作子側の摺接部２にいずれもその片側（図中右側）で摺接するものであり、それによって、操作子１の矢印Ａ１，Ａ２で示す傾きを制するようになっている。
【発明の開示】
【発明が解決しようとする課題】
【０００６】
上記従来のものの場合、支持部材側の摺接部３と操作子側の摺接部２との摺接が、軸支部から離間した位置においてなされる構造であるため、摺接の抵抗度が大きく、操作感を過分に重くしていた。
【０００７】
本発明は上述の事情に鑑みてなされたものであり、従ってその目的は、揺動する操作子の傾きを制しつつ、操作性の改善ができるスイッチ装置を提供するにある。
【課題を解決するための手段】
【０００８】
上記目的を達成するために、本発明のスイッチ装置は、軸支部を有する支持部材と、この支持部材に前記軸支部により揺動可能に軸支された操作子と、この操作子の揺動に応じて接離される接点とを具備するものにおいて、前記支持部材の軸支部の近傍周囲部、又は前記操作子の前記軸支部と対応する部分の近傍周囲部に、前記操作子の揺動に伴い相手側と摺接する摺接部を設けたことを特徴とする。
【発明の効果】
【０００９】
上記手段によれば、支持部材の軸支部の近傍又は操作子の軸支部と対応する部分の近傍で、摺接部が相手側と摺接することにより、操作子の傾きを制することができる。よって、その摺接の抵抗度が小さく、操作感を軽くできる。
【発明を実施するための最良の形態】
【００１０】
以下、本発明の一実施例（一実施形態）につき、図１ないし図４を参照して説明する。
まず、図４には、スイッチボデー１１を示しており、これの下側に回路基板１２を組み付けている。回路基板１２には、幾つかの回路部品１３を実装すると共に、固定接点１４，１５を上面に前後（図４では左右）に分けて設けている。又、回路基板１２上には、ゴムなど弾性材から成る弾性シート１６を被着しており、この弾性シート１６が上記固定接点１４，１５上に、それぞれ薄肉の可撓部１７，１８を介してコンタクトホルダ１９，２０を有し、このコンタクトホルダ１９，２０の各下面に、上記固定接点１４，１５とそれぞれに対向する可動接点２１，２２を有している。
【００１１】
スイッチボデー１１には、コンタクトホルダ１９，２０上にそれぞれプッシャガイド２３，２４を有しており、このプッシャガイド２３，２４に挿通したプッシャ２５，２６の各下端をそれぞれコンタクトホルダ１９，２０の上面に当接させている。
スイッチボデー１１上には、操作子２７とカバー２８とを配置しており、そのうち、操作子２７が下面に凸部２９，３０を有し、これらの凸部２９，３０の各下端をプッシャガイド２３，２４の各上端に当接させている。
【００１２】
ここで、図３は操作子２７部分のみを平面図で表しており、この図３で明らかなように、操作子２７は裏側（下面）の左右両側部にそれぞれリブ３１を有し、このリブ３１の前後（図３で凸部２９，３０が存する上下）の中間部に左右方向に開通する軸孔３２を有している。
【００１３】
これに対して、スイッチボデー１１は、上記操作子２７のリブ３１における軸孔３２と対応する部分に軸支部３３を有している。この軸支部３３は、軸部３３ａと、これを左右の両外側方へ突設した基体３３ｂとから成っており、その軸部３３ａに上記操作子２７の軸孔３２を回動可能に嵌合し、かくして、操作子２７を、これが軸部３３ａを中心に上下（図３では紙面と直交する方向であって、図４に矢印Ｂ１，Ｂ２で示す方向）に回動することによる、揺動可能に軸支している。従って、この場合、スイッチボデー１１は、操作子２７を軸支部３３によって揺動可能に軸支する支持部材として機能するようになっている。
【００１４】
しかして、上記軸支部３３の基体３３ｂは、スイッチボデー１１のリブ３４から上方及び左右の各外側方へ突出させて形成したものであり、そのリブ３４の１つを図１に示す。この図１で明らかなように、軸支部３３の基体３３ｂは円形状を成し、その中心部に軸部３３ａを有している。又、基体３３ｂの外周には環状の凹部３５を形成して、更にその外周、すなわち、軸支部３３の近傍周囲部に、環状の凸部３６を形成している。これらの凹部３５及び凸部３６は、軸支部３３の基体３３ｂと一体に上記リブ３４に形成した張出部３７に設けたものである。
【００１５】
上記凸部３６の外側端面３８は、図２に示すように、軸支部３３の端面部である基体３３ｂの外側端面３９と面一であり、これらが前記操作子２７のリブ３１の内側面に当接し（図３参照）、操作子２７の揺動に伴って摺接するようになっている。従って、それら凸部３６の外側端面３８と軸支部３３の基体３３ｂの外側端面３９は、操作子２７の揺動に伴って相手側である操作子２７のリブ３１の内側面と摺接する摺接部として機能するようになっている。
【００１６】
さて、上述のごとく構成したものの場合、使用者が指先にて操作子２７の凸部２９側を押すと、操作子２７は押された方向に揺動し、凸部２９によってプッシャ２５を押し込むから、この押し込まれたプッシャ２５が、下端にて弾性シート１６のコンタクトホルダ１９を押し込み、可動接点２１を固定接点１４に接触させる。
【００１７】
一方、操作子２７の凸部３０側を押すと、操作子２７はやはり押された方向に揺動し、凸部３０によってプッシャ２６を押し込むから、この押し込まれたプッシャ２６が、下端にて弾性シート１６のコンタクトホルダ２０を押し込み、可動接点２２を固定接点１５に接触させる。
【００１８】
そして、このように操作子２７が揺動するとき、摺接部（第１の摺接部）である凸部３６の外側端面３８と軸支部３３の基体３３ｂの外側端面３９は、操作子２７のリブ３１の内側面と摺接し、図３に矢印Ｃ１，Ｃ２で示す操作子２７の傾きを制する。
ここで、上記凸部３６の外側端面３８は、操作子２７を軸支する軸支部３３の近傍周囲部に設けたものであり、従来の軸支部から離間した位置に設けた摺接部２，３より、摺接の抵抗度が小さく、操作感を軽くできるので、操作性の改善ができる。
【００１９】
加えて、本構成のものの場合、軸支部３３の基体３３ｂの外側端面３９をも、操作子２７のリブ３１の内側面と摺接して操作子２７の傾きを制する摺接部（第２の摺接部）としており、これによって、操作子２７の操作性を改善しつつ、操作子２７の傾きをより確実に制することができる。
【００２０】
なお、操作子２７の傾きを制する摺接部は、支持部材であるスイッチボデー１１側でなく、操作子２７側において、該操作子２７の軸支部３３と対応する部分の近傍周囲部、並びに操作子２７の軸支部３３と対応する部分の端面部に設けるようにしても良い。
又、それらの摺接部は、環状に連ねてではなく、部分的に設けるようにしても良い。
更に、軸支部については、これが軸受孔を有し、操作子が軸部を有するものとしても良い。
【００２１】
加えて、軸支部を有する支持部材も、スイッチボデー１１でなく、それに固定する別部材であっても良い。
そのほか、本発明は上記し且つ図面に示した実施例にのみ限定されるものではなく、要旨を逸脱しない範囲内で適宜変更して実施し得る。
【図面の簡単な説明】
【００２２】
【図１】本発明の一実施例を示す主要部分の側面図
【図２】図１のＸ−Ｘ線に沿う部分の拡大横断面図
【図３】主要部分の平面図
【図４】全体の縦断側面図
【図５】従来例を示す図３相当図
【符号の説明】
【００２３】
図面中、１１はスイッチボデー（支持部材）、１４，１５は固定接点（接点）、２１，２２は可動接点（接点）、２７は操作子、３３は軸支部、３８は凸部の外側端面（摺接部）、３９は軸支部の基体の外側端面（摺接部）を示す。
【図１】
2006032059.tif 000003
【図２】
2006032059.tif 000004
【図３】
2006032059.tif 000005
【図４】
2006032059.tif 000006
【図５】
2006032059.tif 000007